(57)【要約】【課題】高周波伝送特性が改善されたコネクタを提供すること。【解決手段】高周波コネクタ９は、インシュレータ１０と、インシュレータ１０において所定方向に配列された複数のコンタクト端子２０を含む。複数のコンタクト端子２０は、複数のグランド端子２０Ｇ及び複数の信号端子２０Ｓを含む。グランド端子２０Ｇ及び信号端子２０Ｓそれぞれが、インシュレータ１０によって片持ち状に支持されたアーム部２０Ａを含む。アーム部２０Ａは、コンタクト部２２と、コンタクト部２２からアーム先端側に延びる傾斜ガイド部２３を含む。信号端子２０Ｓにおける傾斜ガイド部２３の長さは、グランド端子２０Ｇにおける傾斜ガイド部２３の長さよりも短い。【選択図】図８
2020184471.tif 000002
【特許請求の範囲】
【請求項１】
高周波コネクタであって、
インシュレータと、
前記インシュレータにおいて所定方向に配列された複数のコンタクト端子にして、複数のグランド端子及び複数の信号端子を含む複数のコンタクト端子とを備え、
前記グランド端子及び前記信号端子それぞれが、前記インシュレータによって片持ち状に支持されたアーム部を含み、前記アーム部が、コンタクト部と、前記コンタクト部からアーム先端側に延びる傾斜ガイド部を含み、
前記信号端子における前記傾斜ガイド部の長さは、前記グランド端子における前記傾斜ガイド部の長さよりも短い、高周波コネクタ。
【請求項２】
前記信号端子の前記傾斜ガイド部の長さは、前記グランド端子の前記傾斜ガイド部の長さの１／２以下である、請求項１に記載の高周波コネクタ。
【請求項３】
前記信号端子のコンタクト部は、前記グランド端子のコンタクト部よりもアーム基端側にオフセットされている、請求項１又は２に記載の高周波コネクタ。
【請求項４】
前記インシュレータは、前記傾斜ガイド部と比較してアーム基端側からより離間して設けられた１以上のガイド突起を有し、
前記１以上のガイド突起は、前記高周波コネクタに結合されるべきフレキシブル配線基板の幅方向の反りを矯正するように設けられる、請求項１乃至３のいずれか一項に記載の高周波コネクタ。
【請求項５】
前記１以上のガイド突起は、前記コンタクト部が凸状に突出する方向と同じ方向に突出して設けられる、請求項４に記載の高周波コネクタ。
【請求項６】
前記複数のコンタクト端子は、１以上のグランド端子及び１以上の信号端子を含む複数のサブセットを含み、
前記１以上のガイド突起は、隣接して配置された前記サブセットの間の中間領域に対応して設けられた中間ガイド突起を含む、請求項４又は５に記載の高周波コネクタ。
【請求項７】
前記１以上のガイド突起は、前記フレキシブル配線基板の幅方向中央と幅方向両端に対応付けて設けられた少なくとも３つのガイド突起を含む、請求項４乃至６のいずれか一項に記載の高周波コネクタ。
【請求項８】
請求項４乃至７のいずれか一項に記載の高周波コネクタに対して結合されるべきフレキシブル配線基板であって、前記１以上のガイド突起との干渉を回避するための１以上の開口又は切り欠き部を有する、フレキシブル配線基板。
【発明の詳細な説明】
【技術分野】
【０００１】
本発明は、高周波コネクタ及びフレキシブル配線基板に関する。
【背景技術】
【０００２】
特許文献１では板状金属材を打ち抜いて得られた接触子がハウジングに取り付けられている（同文献の図３参照）。
【先行技術文献】
【特許文献】
【０００３】
【特許文献１】特許第３０２９９８５号公報
【発明の概要】
【発明が解決しようとする課題】
【０００４】
コネクタに対して基板が動かされて電気的及び機械的に結合される場合、コネクタのコンタクト端子が座屈してしまうことを抑制するため、コンタクト端子にガイド傾斜部を設けることが一般的である。しかしながら、このガイド傾斜部が、コンタクト端子を介して伝送される高周波信号の伝送線路に対してオープンスタブとして機能してしまうと、インピーダンスの小さな不整合が高周波帯域（３０ＧＨｚ以上）に影響して高周波伝送特性が劣化するため好ましくない。本願発明者は、このような知見に照らして、高周波伝送特性が改善されたコネクタを提供する意義を新たに見出した。
【課題を解決するための手段】
【０００５】
本開示の一態様に係る高周波コネクタは、
インシュレータと、
前記インシュレータにおいて所定方向に配列された複数のコンタクト端子にして、複数のグランド端子及び複数の信号端子を含む複数のコンタクト端子とを備え、
前記グランド端子及び前記信号端子それぞれが、前記インシュレータによって片持ち状に支持されたアーム部を含み、前記アーム部が、コンタクト部と、前記コンタクト部からアーム先端側に延びる傾斜ガイド部を含み、
前記信号端子における前記傾斜ガイド部の長さは、前記グランド端子における前記傾斜ガイド部の長さよりも短い。
【０００６】
幾つかの実施形態においては、前記信号端子の前記傾斜ガイド部の長さは、前記グランド端子の前記傾斜ガイド部の長さの１／２以下である。
【０００７】
幾つかの実施形態においては、前記信号端子のコンタクト部は、前記グランド端子のコンタクト部よりもアーム基端側にオフセットされている。
【０００８】
幾つかの実施形態においては、前記インシュレータは、前記傾斜ガイド部と比較してアーム基端側からより離間して設けられた１以上のガイド突起を有し、
前記１以上のガイド突起は、前記高周波コネクタに結合されるべきフレキシブル配線基板の幅方向の反りを矯正するように設けられる。
【０００９】
幾つかの実施形態においては、前記１以上のガイド突起は、前記コンタクト部が凸状に突出する方向と同じ方向に突出して設けられる。
【００１０】
前記複数のコンタクト端子は、１以上のグランド端子及び１以上の信号端子を含む複数のサブセットを含み、
前記１以上のガイド突起は、隣接して配置された前記サブセットの間の中間領域に対応して設けられた中間ガイド突起を含む。
【００１１】
前記１以上のガイド突起は、前記フレキシブル配線基板の幅方向中央と幅方向両端に対応付けて設けられた少なくとも３つのガイド突起を含む。
【００１２】
本開示の一態様にかかるフレキシブル配線基板は、上述のいずれかの高周波コネクタに対して結合されるべきフレキシブル配線基板であって、前記１以上のガイド突起との干渉を回避するための１以上の開口又は切り欠き部を有する。
【発明の効果】
【００１３】
本開示の一態様によれば、高周波伝送特性が改善されたコネクタを提供することができる。
【図面の簡単な説明】
【００１４】
【図１】本開示の一態様に係る高周波コネクタの概略的な分解斜視図である。
【図２】本開示の一態様に係る高周波コネクタの概略的な斜視図であり、高周波コネクタが前側から斜視される。
【図３】本開示の一態様に係る高周波コネクタの概略的な斜視図であり、高周波コネクタが後側から斜視される。
【図４】本開示の一態様に係る高周波コネクタの概略的な上面図である。
【図５】本開示の一態様に係る高周波コネクタの概略的な前側面図である。
【図６】本開示の一態様に係る高周波コネクタにおける図５のＶＩ−ＶＩ線に沿う概略的な断面図であり、ロックカバーがロック状態にある。
【図７】本開示の一態様に係るコネクタにおける図５のＶＩＩ−ＶＩＩ線に沿う概略的な断面図であり、ロックカバーが非ロック状態にある。
【図８】本開示の一態様に係るコネクタにおける信号端子とグランド端子の位置関係を示す概略的な側面図である。
【図９】本開示の一態様に係るコネクタに結合されるフレキシブル配線基板の結合端の概略的な上面図である。
【図１０】図１０（ａ）は、左右端に対して左右中央が凹んだ状態のフレキシブル配線基板を示す。図１０（ｂ）は、コネクタのガイド突起によりフレキシブル配線基板の反りが低減されることを示す。
【図１１】図１１（ａ）は、左右端に対して左右中央が張り出た状態のフレキシブル配線基板を示す。図１１（ｂ）は、コネクタのガイド突起によりフレキシブル配線基板の反りが低減されることを示す。
【図１２】本開示の一態様に係る高周波コネクタにおいて、ロックカバーが非ロック状態においてフレキシブル配線基板が挿入されることを示す模式図である。
【図１３】本開示の一態様に係る高周波コネクタにおいて、フレキシブル配線基板がグランド端子のガイド傾斜部により案内されることを示す模式図である。
【図１４】本開示の一態様に係る高周波コネクタにおいて、ロックカバーが非ロック状態からロック状態に回動され、フレキシブル配線基板がロックカバーとインシュレータの間で挟まれることを示す模式図である。
【図１５】本開示の一態様に係る高周波コネクタにおいてフレキシブル配線基板がロックカバーとインシュレータの間で挟まれ、フレキシブル配線基板のパッドがコンタクト端子に接触した状態を示す模式図である。
【図１６】本開示の別態様に係る高周波コネクタの概略的な断面図であり、グランド端子に対して信号端子が後方にオフセットされていない。
【図１７】本開示の別態様に係る高周波コネクタにおけるグランド端子と信号端子の配列を示す概略的な斜視図である。
【発明を実施するための形態】
【００１５】
以下、図１乃至図１７を参照しつつ、本開示に係る様々な実施形態及び特徴について説明する。当業者は、過剰説明を要せず、各実施形態及び／又は各特徴を組み合わせることができ、この組み合わせによる相乗効果も理解可能である。実施形態間の重複説明は、原則的に省略する。参照図面は、発明の記述を主たる目的とするものであり、作図の便宜のために簡略化されている。各特徴は、本明細書に開示された高周波コネクタにのみ有効であるものではなく、本明細書に開示されていない他の様々な高周波コネクタにも通用する普遍的な特徴として理解される。
【００１６】
図１は、高周波コネクタ９の概略的な分解斜視図である。図２及び図３は、高周波コネクタ９の概略的な斜視図である。高周波コネクタ９の構造を説明するため、次のように方向が定義される。図１に示すように、幅方向は、Ｌ，Ｒｉの間を延びる双頭矢印により特定される。後述の説明から分かるように、幅方向は、ロックカバーの回動軸に沿う方向に等しい。代替的として、幅方向を左右方向と呼ぶこともできる。厚み方向は、Ｕ，Ｄの間を延びる双頭矢印により特定される。前後方向は、Ｆ，Ｒｅの間を延びる双頭矢印により特定される。ＲｉからＬに向かう方向が左方と呼ばれ、反対が右方と呼ばれる。ＤからＵに向かう方向が上方と呼ばれ、反対が下方と呼ばれる。ＲｅからＦに向かう方向が前方と呼ばれ、反対が後方と呼ばれる。本段落で述べた方向は、本明細書の以下の記述又は図面の内容に照らして再定義可能であるものとする。
【００１７】
高周波コネクタ９は、樹脂パーツと金属パーツの複合体であり、配線基板を機械的に固定する役割と配線基板を外部配線、ひいては外部回路に対して電気的に接続する役割を担う。以下、高周波コネクタ９に対して結合される配線基板の一例としてフレキシブル配線基板が参照されるが、これに限られない。高周波コネクタ９に対して結合される配線基板が可撓性を有しない形態も当然に想定される。外部配線は、例えば、高周波コネクタ９が実装された基板（不図示）上の配線である。高周波コネクタ９は、リフロー工程により実装基板に対して固定され得る。外部回路は、例えば、高周波コネクタ９が実装された基板上の回路である。
【００１８】
図１乃至図３に示すように、高周波コネクタ９は、インシュレータ１０と、インシュレータ１０により回動可能に支持されたロックカバー３０を有する。図１では、インシュレータ１０に設けられたコンタクト端子２０及び押圧片４０を明示するため、インシュレータ１０からロックカバー３０が上方に取り外されている。インシュレータ１０には、その幅方向にコンタクト端子２０と押圧片４０が設けられる。ロックカバー３０には、その幅方向にロック部３４とスロット３５が設けられる。ロック部３４は、押圧片４０により押圧されてフレキシブル配線基板８をコンタクト端子２０側に押圧する。これにより、フレキシブル配線基板８がロック部３４とコンタクト端子２０の間でロックされる。なお、高周波コネクタ９が、ロックカバー３０や押圧片４０を有しない形態も想定される。なお、インシュレータ１０及びロックカバー３０は、プラスチック材料（例えば、ＬＣＰ）から成り、コンタクト端子２０及び押圧片４０は、導電性材料（例えば、りん青銅といった金属）から成る。コンタクト端子２０は、表面保護又は半田ぬれ性を確保するためにメッキ（例えば、金メッキ）が施され得る。
【００１９】
インシュレータ１０は、高周波コネクタ９の幅方向（左右方向）において長尺であり、同方向において第１端部１１と第２端部１２を有する。第１端部１１を右側端部と呼び、第２端部１２を左側端部と呼んでも良い。インシュレータ１０は、更に、第１端部１１と第２端部１２の間を延びる平板部１３と壁部１４を有する。平板部１３は、壁部１４の前方に間隔を開けて配置される。第１端部１１及び第２端部１２の各々に取付部１８が設けられ、各取付部１８に金属製の補強部材１９が取り付けられる。第１端部１１と第２端部１２の間でロックカバー３０が回動可能に軸支される。
【００２０】
ロックカバー３０は、インシュレータ１０の第１端部１１と第２端部１２の間で回動可能に軸支される。ロックカバー３０は、インシュレータ１０とは別に射出成形により成形され、インシュレータ１０に対して取り付けられる。ロックカバー３０は、第１端部３１、第２端部３２、及び第１端部３１と第２端部３２の間を延びるカバー本体３３を有する。第１端部３１には右方に突出した凸部３６が設けられ、インシュレータ１０の第１端部１１の凹部６６に嵌合する。第１端部３１に凹部が設けられ、インシュレータ１０の第１端部１１の凸部が設けられる形態も想定される。第２端部３２には左方に突出した凸部３７が設けられ、インシュレータ１０の第２端部１２の凹部７７に嵌合する。第２端部３２に凹部が設けられ、インシュレータ１０の第２端部１２に凸部が設けられる形態も想定される。
【００２１】
インシュレータ１０には、図１及び図４に示すように、複数の信号端子２０Ｓと複数のグランド端子２０Ｇが設けられ、端的には、１以上の信号端子２０Ｓと１以上のグランド端子２０Ｇの組み合わせから成る２以上の端子配列サブセット２０Ｕが設けられる。端子配列サブセット２０Ｕは、インシュレータ１０の幅方向に配列される。必ずしもこの限りではないが、端子配列サブセット２０Ｕは、信号端子２０Ｓのペアと、信号端子２０Ｓのペアを挟むグランド端子２０Ｇのペアから構成された４端子サブセットである。端子配列サブセット２０ＵをＧＳＳＧ端子配列サブセットと呼ぶことができ、ここで、Ｇは、グランド端子を表し、Ｓは信号端子を表す。信号端子２０Ｓのペアは、差動信号の伝送のために用いられ得る。高周波コネクタ９の幅方向において隣接する端子配列サブセット２０Ｕの間に押圧片４０が配置される。
【００２２】
インシュレータ１０に設けられる各押圧片４０は、端子配列サブセット２０Ｕの配列方向において隣接する一方の端子配列サブセット２０Ｕに含まれる少なくとも一つの信号端子２０Ｓと他方の端子配列サブセット２０Ｕに含まれる少なくとも一つの信号端子２０Ｓの間に設けられる。高周波信号の伝送線路である信号端子２０Ｓに対して押圧片４０が与え得る電気的な影響、例えば、寄生容量成分が低減される。
【００２３】
コンタクト端子２０は、インサート成形によってインシュレータ１０に部分的に埋め込まれて固定される（図６，７参照）。コンタクト端子２０は、インシュレータ１０、端的には、その壁部１４によって片持ち状に支持されたアーム部２０Ａと、インシュレータ１０に埋め込まれた埋め込み部２６と、外部配線との電気的な接続のための外部接続部２７を含む。アーム部２０Ａは、アーム部２０Ａの基端部を中心として上下に揺動可能である。埋め込み部２６は、前後方向に平坦に延びる。外部接続部２７は、２箇所で屈曲している。外部接続部２７の後端部は、高周波コネクタ９の実装基板上に載置される。
【００２４】
アーム部２０Ａは、アーム部２０Ａのバネ性のため、フレキシブル配線基板８により押されて下方に変位した位置から初期位置に弾性的に復帰可能である。アーム部２０Ａは、図８に示すように形状づけられた金属プレートであり、その厚み方向が上下方向に一致し、その幅方向が左右方向に一致する。インシュレータ１０に対するコンタクト端子２０の固定の態様は図示のものに限らず、アーム部２０Ａの厚み方向が上下方向又はこれ以外の方向に一致する形態も想定される。言うまでもなく、コンタクト端子２０がインシュレータ１０に圧入されて固定される形態も想定される。
【００２５】
アーム部２０Ａは、基端側傾斜部２１と、コンタクト部２２と、コンタクト部２２からアーム先端側に延びる傾斜ガイド部２３を含む。基端側傾斜部２１は、アーム部２０Ａの基端部とコンタクト部２２の間を延び、ここでは、前方に向かうに応じて斜め上方に延びる。コンタクト部２２は、フレキシブル配線基板８のパッドに対して接触して電気的に接続されるべき部分であり、ここでは、基端側傾斜部２１と傾斜ガイド部２３の間で上側に凸状に湾曲する。傾斜ガイド部２３は、コンタクト端子２０が座屈しない方向にフレキシブル配線基板８を案内する部分であり、ここでは、前方に向かうに応じて斜め下方に延びる。
【００２６】
図８に示すように、信号端子２０Ｓにおける傾斜ガイド部２３の長さＬ１は、グランド端子２０Ｇにおける傾斜ガイド部２３の長さＬ２よりも短い。これにより、コンタクト端子２０に含まれるオープンスタブがより短長になり、高周波帯域（３０ＧＨｚ以上）に影響するインピーダンスの小さな不整合が抑制され、高周波コネクタ９の高周波伝送特性が高められる。必ずしもこの限りではないが、コンタクト端子２０におけるコンタクト部２２と傾斜ガイド部２３の境界は、コンタクト部２２の湾曲面と傾斜ガイド部２３の平坦面の境界により定めることができる。幾つかの場合、信号端子２０Ｓの傾斜ガイド部２３の長さＬ１は、グランド端子２０Ｇの傾斜ガイド部２３の長さＬ２の１／２以下である。
【００２７】
加えて、信号端子２０Ｓのコンタクト部２２は、グランド端子２０Ｇのコンタクト部２２よりもアーム基端側にオフセットされる。グランド端子２０Ｇのより長い傾斜ガイド部２３が、信号端子２０Ｓの短長の傾斜ガイド部２３よりも先にフレキシブル配線基板８に接触することが促進される。結果として、グランド端子２０Ｇの傾斜ガイド部２３によってフレキシブル配線基板８がより円滑に案内されてコンタクト端子２０の座屈が抑制される。なお、図示例では、ＧＳＳＧ端子配列サブセット２０Ｕにおいて信号端子ペアの傾斜ガイド部２３が左右両側においてグランド端子ペアの傾斜ガイド部２３により挟まれ、コンタクト端子２０の座屈が更に抑制される。
【００２８】
以下、高周波コネクタ９のロック機能に関して主に説明する。図１及び図７に示すように、ロックカバー３０の第１端部３１と第２端部３２の間において複数のロック部３４が同軸上に配置される。各ロック部３４は、コンタクト部２２の直上の位置でロックカバー３０の回動に応じてロックカバー３０の回動軸に関してロック位置と非ロック位置の間で回動する。ロック部３４が非ロック位置の時、高周波コネクタ９に対してフレキシブル配線基板８が挿入される（図７，図１４参照）。ロック部３４がロック位置の時、ロック部３４とコンタクト端子２０の間でフレキシブル配線基板８がロックされる（図１５参照）。このようにロックされる時、フレキシブル配線基板８は、コンタクト端子２０によってロック部３４に向けて付勢された状態となり、コンタクト端子２０とロック部３４の間でフレキシブル配線基板８がより強固に挟まれる。
【００２９】
ロック部３４は、高周波コネクタ９の幅方向に直交する断面において１以上の（有利には複数の）弧状面を有する。図７に示すように、ロック部３４は、ロックカバー３０の回動軸に対して直交する断面において反対側を臨むように設けられた第１及び第２弧状面３４ｍ，３４ｎを含む。ロックカバー３０が非ロック状態（ロック部３４が非ロック位置）の時、ロック部３４の第１弧状面３４ｍが後方を臨み、第２弧状面３４ｎが前方を臨む。ロックカバー３０がロック状態（ロック部３４がロック位置）の時、ロック部３４の第１弧状面３４ｍが上方を臨み、第２弧状面３４ｎが下方を臨む。第１弧状面３４ｍは、第２弧状面３４ｎよりも大きい曲率半径を有する。第１弧状面３４ｍと第２弧状面３４ｎの間には第１弧状面３４ｍから第２弧状面３４ｎに向けてお互いに接近するテーパー状の傾斜面が設けられる。
【００３０】
なお、各ロック部３４は、高周波コネクタ９の幅方向に直交する断面において同一の断面形状を有するが、これに限られない。ロックカバー３０に設けられるロック部３４の個数は、インシュレータ１０に対して取り付けられる押圧片４０の個数と同一であるが、これに限られない。ロック部３４は、ロックカバー３０の回動軸上に配される部分を含むが、これに限られない。ロック部３４が、ロックカバー３０の回動軸からオフセットして配置される形態も想定される。一つのロック部３４が、ロックカバー３０の第１端部３１と第２端部３２の間で連続的に延びる形態も想定される。この形態では、インシュレータ１０に対して取り付けられる複数の押圧片４０に対して共通の単一のロック部３４が用いられる。
【００３１】
ロックカバー３０の幅方向に複数のスロット３５が配置される。各スロット３５は、ロック部３４に隣接して配置され、これにより、ロックカバー３０と押圧片４０の干渉が回避される。スロット３５は、ロック部３４に隣接する位置で、ロックカバー３０の上面３０ｐと下面３０ｑの間を貫通する。ロックカバー３０が非ロック状態の時、押圧部４４（その前端部）がスロット３５に挿入される。ロックカバー３０がロック状態の時、押圧部４４（その前端部）がスロット３５上に配置される。スロット３５は、矩形状の上側口及び下側口を有する。上側口は、下側口よりも広い開口面積を有する。
【００３２】
ロックカバー３０の幅方向に隣接するスロット３５の間には、幅方向に延びるカバー本体３３の部分が存在する（図６参照）。ロックカバー３０に設けられるスロット３５の個数は、ロック部３４の個数、押圧部４４の個数と同一であり得るが、これに限られない。ロックカバー３０の幅方向において隣接するスロット３５を統合して一つの幅広なスロットを形成することもできる。
【００３３】
インシュレータ１０に設けられる各押圧片４０は、ロックカバー３０の回動軸に対して直交するように配置された平板部分を含み（端的には、平板材であり）、例えば、プレス機による金属板の打ち抜き加工により製造される。押圧片４０は、ロック部３４を下方に押圧する押圧部４４を有する。押圧部４４は、ロック部３４の回動を妨げないように適切に形状付けられる。押圧部４４は、ロック部３４の第１弧状面３４ｍを下方に押圧するための押圧面４４ｐとこれに隣接して設けられた逃がし面４４ｑを有する。ロックカバー３０がロック状態から非ロック状態に回動する時、ロック部３４の第１弧状面３４ｍは、押圧面４４ｐに接触又は対面した状態から逃がし面４４ｑに接触又は対面した状態になる。逃がし面４４ｑは、後方に向かうに応じて徐々に下降する傾斜面である。
【００３４】
押圧片４０は、少なくとも押圧片主部４１と回転阻止部４２を含む屈曲部材、端的には、Ｌ字形部材である。押圧片主部４１は、高周波コネクタ９の前後方向（高周波コネクタ９に対するフレキシブル配線基板８の挿脱方向）に延び、インシュレータ１０の貫通穴１５に挿入される。回転阻止部４２は、高周波コネクタ９の厚み方向に延び、インシュレータ１０の壁部１４の後方に配置される。フレキシブル配線基板８がロック部３４とコンタクト端子２０の間に挟まれる時、コンタクト端子２０によりフレキシブル配線基板８が上方に付勢され、フレキシブル配線基板８によりロック部３４、続いて押圧片４０の押圧部４４が上方に押される。押圧片４０の押圧部４４が上方に押され、押圧片４０は、図６及び図７を正面視して時計回りの回転力を受ける。押圧片４０に回転阻止部４２を設けることにより、押圧片４０の回転阻止部４２とインシュレータ１０、特にその壁部１４の接触により、押圧片４０は、上述の回転力に対して十分に耐えることができる。これにより、インシュレータ１０に対する押圧片４０のより強固な取付が促進される。
【００３５】
押圧片主部４１は、インシュレータ１０の壁部１４の貫通穴１５に挿入される。貫通穴１５は、矩形状の前口と後口を有する。インシュレータ１０に対して押圧片４０が取り付けられる時、貫通穴１５の後口を介して貫通穴１５内に押圧片主部４１が挿入される。この挿入の結果、押圧片主部４１が貫通穴１５の前口から十分に突出し、回転阻止部４２が壁部１４に接触又は近接して配置される。なお、貫通穴１５は、高周波コネクタ９の幅方向において狭く、高周波コネクタ９の厚み方向において長い開口である。インシュレータ１０に対する押圧片４０の取り付けは、他の様々な態様が想定され、図示例に限定されるべきではない。インシュレータ１０の壁部１４の上面に溝を設ける形態も想定される。
【００３６】
コンタクト端子２０及び押圧片４０は、互いに電気的に非接続であって、インシュレータ１０に対して別々に設けられる。これによりフレキシブル配線基板８との良好な電気的な接続のためにコンタクト端子２０の形状を最適化することができる。また、コンタクト端子２０に対してバネ性を付与することができ、フレキシブル配線基板８との良好な接触が確保される。更には、コンタクト端子２０及び押圧片４０が互いに非接触となるように分離したことにより、コンタクト端子２０及び押圧片４０が接触せず、かつ導通せず、高周波信号の伝送のためにコンタクト端子２０の形状が最適化される。その結果、例えば、３０ＧＨｚ以上の高周波信号の伝送に高周波コネクタ９を用いることができる。
【００３７】
インシュレータ１０には、フレキシブル配線基板８との接触によってコンタクト端子２０が座屈してしまうことを抑制するための１以上のガイド突起、図示例では、３つのガイド突起１６ａ〜１６ｃが設けられる。３つの２ガイド突起１６ａ〜１６ｃは、高周波コネクタ９に結合されるべきフレキシブル配線基板８の幅方向の反りを矯正するように設けられ、ここでは、フレキシブル配線基板８の幅方向中央と幅方向両端に対応付けて設けられる。ガイド突起１６ａ〜１６ｃの位置又は形状は、高周波コネクタ９との電気的及び機械的な結合のためにフレキシブル配線基板８が動かされる方向に応じて設計される。なお、ガイド突起１６ｃは、隣接して配置された端子配列サブセット２０Ｕの間の中間領域に対応して設けられた中間ガイド突起である。
【００３８】
各ガイド突起１６ａ〜１６ｃは、傾斜ガイド部２３と比較してアーム部２０Ａの基端側からより離間して設けられ、また、コンタクト部２２が凸状に突出する方向と同じ方向に突出して設けられる。各ガイド突起１６ａ〜１６ｃには、後方に向かうに応じて斜め上方に延びるガイド傾斜面が設けられ、これによりフレキシブル配線基板８が案内される。すなわち、フレキシブル配線基板８が高周波コネクタ９との結合のため後方に動かされる時、ガイド突起１６ａ〜１６ｃのガイド傾斜面によって斜め上方に案内される。
【００３９】
図９に示すように、フレキシブル配線基板８は、上述のガイド突起１６ａ〜１６ｃとの干渉を回避するための開口又は切り欠き部８６ａ〜８６ｃを有する。フレキシブル配線基板８のパッドがコンタクト部２２に接触し、ロックカバー３０とインシュレータ１０の間でフレキシブル配線基板８がロックされる時、ガイド突起１６ａ〜１６ｃは、各々、開口又は切り欠き部８６ａ〜８６ｃに嵌合し、インシュレータ１０からフレキシブル配線基板８が離脱することが阻止される。
【００４０】
フレキシブル配線基板８は、図１０（ａ）又は図１１（ａ）のように反りを有する場合がある。フレキシブル配線基板８は、高周波コネクタ９に電気的及び機械的に結合される位置に向けて動かされる時、上述のガイド突起１６ａ〜１６ｃによって斜め上方に案内される。図１０（ａ）に示すようにフレキシブル配線基板８が反る場合、フレキシブル配線基板８の中央領域がガイド突起１６ｃによりロックカバー３０側に押され、図１０（ｂ）のように反りが低減される。図１１（ａ）に示すようにフレキシブル配線基板８が反る場合、フレキシブル配線基板８の左右の端部領域がガイド突起１６ａ，１６ｂによりロックカバー３０側に押され、図１１（ｂ）のように反りが低減される。フレキシブル配線基板８の平坦性が高められた状態でフレキシブル配線基板８のパッドとコンタクト端子２０が接触し、フレキシブル配線基板８と高周波コネクタ９の安定した電気的接続が促進される。
【００４１】
インシュレータ１０は、誘電体５０を収容する収容部１０Ｈを含む。誘電体５０は、例えば、液晶ポリマー（ＬＣＰ）といった導電性樹脂から成る。押圧片４０、特にその回転阻止部４２は、収容部１０Ｈから誘電体５０が脱落することを阻止する。誘電体５０は、高周波信号にリップルが生じることを抑制するために設けられる。
【００４２】
図１２乃至図１５を参照して高周波コネクタ９に対してフレキシブル配線基板８を取り付ける方法について説明する。図１２に示すように、まず、ロックカバー３０を後方に回動し、ロック部３４を非ロック位置まで回動させる。ロックカバー３０が非ロック状態の時、平板部１３上にロックカバー３０が配されない。従って、ロックカバー３０により妨害されることなく、平板部１３上にフレキシブル配線基板８の挿入端を簡単に配置することができる。
【００４３】
図１３に示すようにコンタクト端子２０に向けてフレキシブル配線基板８が動かされる。フレキシブル配線基板８の挿入端は、インシュレータ１０の平板部１３の上面に設けられたガイド突起１６ａ〜１６ｃによって後方に向かって斜め上方に案内され、コンタクト端子２０の座屈が抑制される。フレキシブル配線基板８は、その幅方向において平坦ではない。従って、ガイド突起１６ａとガイド突起１６ｃの間において、又は、ガイド突起１６ａとガイド突起１６ｃの間において、フレキシブル配線基板８の挿入端は、グランド端子２０Ｇの傾斜ガイド部２３に接触し、後方に向かって斜め上方に案内され得る。フレキシブル配線基板８の挿入端は、グランド端子２０Ｇの傾斜ガイド部２３のみではなく信号端子２０Ｓの傾斜ガイド部２３にも接触し得る。例えば、フレキシブル配線基板８の挿入端によってグランド端子２０Ｇが後方に押され、フレキシブル配線基板８が信号端子２０Ｓの傾斜ガイド部２３に接触する。
【００４４】
図１４に示すように、フレキシブル配線基板８は、壁部１４の前壁面に衝突して停止する。続いて、ロックカバー３０を前側に回動させ、ロック部３４をロック位置まで回動させる。これにより、図１５に示すように、ロックカバー３０のロック部３４とコンタクト端子２０のコンタクト部２２の間でフレキシブル配線基板８が挟まれてロックされ、同時に、フレキシブル配線基板８のパッド８８がコンタクト端子２０のコンタクト部２２に接触して導通する。なお、インシュレータ１０とロックカバー３０の間でフレキシブル配線基板８が挟まれる時、第１弧状面３４ｍと押圧部４４が接触し、第２弧状面３４ｎとフレキシブル配線基板８が接触する。
【００４５】
図１６は、別態様に係る高周波コネクタ９の概略的な断面図である。図１７は、別態様に係る高周波コネクタにおけるグランド端子２０Ｇと信号端子２０Ｓの配列を示す概略的な斜視図である。図１６及び図１７に示すように、グランド端子２０Ｇに対して信号端子２０Ｓを後方にオフセットする必要はない。
【００４６】
上述の教示を踏まえると、当業者は、各実施形態及び各特徴に対して様々な変更を加えることができる。請求の範囲に盛り込まれた符号は、参考のためであり、請求の範囲を限定解釈する目的で参照されるべきものではない。
【符号の説明】
【００４７】
８            フレキシブル配線基板
９            高周波コネクタ
１０            インシュレータ
１３            平板部
１４            壁部
１６ａ〜１６ｃ        ガイド突起
２０            コンタクト端子
２０Ａ            アーム部
２０Ｇ            グランド端子
２０Ｓ            信号端子
２０Ｕ            端子配列サブセット
２２            コンタクト部
２３            傾斜ガイド部
３０            ロックカバー
４０            押圧片
【図１】
2020184471.tif 000003
【図２】
2020184471.tif 000004
【図３】
2020184471.tif 000005
【図４】
2020184471.tif 000006
【図５】
2020184471.tif 000007
【図６】
2020184471.tif 000008
【図７】
2020184471.tif 000009
【図８】
2020184471.tif 000010
【図９】
2020184471.tif 000011
【図１０】
2020184471.tif 000012
【図１１】
2020184471.tif 000013
【図１２】
2020184471.tif 000014
【図１３】
2020184471.tif 000015
【図１４】
2020184471.tif 000016
【図１５】
2020184471.tif 000017
【図１６】
2020184471.tif 000018
【図１７】
2020184471.tif 000019